(57)【特許請求の範囲】
【請求項１】
水平方向の支軸(7)回りに起立及び倒伏回動可能で当該支軸と平行な横桟(12)を備えた格子状の内蓋(11)と、前記支軸の軸方向に相対移動して起立状態の内蓋と係合する横向き溝(9)を備えた保持ブラケット(8)と、内蓋(11)と保持ブラケット(8)とを係合させる方向に横向きに付勢する付勢手段(17)と、係合している横向き溝(9)と内蓋(11)との離脱方向の移動を阻止するロック部材(18)とを備えている、マンホールの梯子兼用転落防止装置。
【請求項２】
保持ブラケット(8)が倒伏状態の内蓋と係合する第２の横向き溝(10)を備えている、請求項１記載の梯子兼用転落防止装置。
【請求項３】
内蓋(11)が支軸(7)に軸方向移動自在に支持されて付勢部材(17)が内蓋(11)を保持ブラケット(8)側に付勢しており、支軸(7)の軸方向両側に同方向を向いた横向き溝(9,10)を備えた支持ブラケット(6)が設けられ、かつ支軸(7)は当該支持ブラケットの配置位置でマンホール枠に支持されていることを特徴とする、請求項１又は２記載の梯子兼用転落防止装置。
【請求項４】
倒伏状態の内蓋の上面に内蓋の横桟(12)の間隔より狭い間隔の格子板ないし網(32)を備えた請求項１、２又は３記載の梯子兼用転落防止装置。
【発明の詳細な説明】
【０００１】
【発明の属する技術分野】
この発明は、マンホール枠に設けられる転落防止装置に関するもので、マンホールを閉鎖している蓋板が外れたときに、マンホール内への器物の落下を防止すると共に、マンホール内への出入の際の梯子としての機能も備えた格子状の内蓋を備えた上記装置に関するものである。
【０００２】
【従来の技術】
マンホールは地下の下水道や配線設備等への保守点検用通路として設けられるもので、通常は道路等の地表面に開口しており、その開口部にはホール（孔）を密閉する鋳鉄製の蓋板が設けられている。地下施設の点検修理は、この鋳鉄製の重い蓋板を開け、作業者がマンホール内に入って行なうが、作業中は蓋板を開放したままにしておくのが普通である。従って、この作業中に大型の工具などを誤ってマンホール内に落下させると、地下の施設や作業者に危害を与えるおそれがある。また、マンホールに連なる地下空間が傾斜地に設置されたものであると、洪水等の際に高所で地下空間に流入した水が低所に設けられたマンホールの蓋板に水位差に起因する大きな内圧が作用して、蓋板を跳ね飛ばしてしまうことがある。このような現象でマンホールの蓋板が開かれると、マンホールに人が転落する危険が生じ、特にマンホールが水没状態となっている洪水時には、その危険が非常に大きい。
【０００３】
そこでこのような危険を防止するために、マンホール内に器物の落下を防止する金網を設けたり、起倒式の梯子を倒伏させた状態にして、マンホール内への器物の落下や人の転落を防止することが提案されている。マンホール内には人の出入のための梯子ないし手すりが設けられているが、前記の起倒式の梯子は、起立させたときに地表に突出する梯子の上端部分を形成するものであり、その幅を梯子として必要な幅より広くすることにより、倒伏させたときにマンホールの開口を閉鎖する粗い格子状の内蓋となるようにしたものである。
【０００４】
このマンホールの格子状の内蓋を兼ねた起倒式の梯子において、倒伏状態でマンホールに大きな内圧が作用したときに、蓋板の飛跳ねと同時に内蓋が起立状態となって、保護蓋としての機能が発揮できなくなることを避けるために、倒伏状態で内蓋をロックするロック機構を設けた構造や、起立して梯子として用いているときに、その倒伏を防止するために、起立した梯子をガイドブラケット内に落し込んで、梯子の倒伏を防止するようにした構造が既に提案されている（例えば、特開平１１−１０７３０３号公報参照）。
【０００５】
【発明が解決しようとする課題】
しかし、従来提案されている構造では、起立状態の保持と倒伏状態の保持とにそれぞれ別個のロック機構を必要とし、部品点数が多くなってコスト高になるという問題があり、また、梯子をガイドに落し込んで、起立状態を保持する構造では、ロックを外す際に梯子全体を持ち上げなければならないため、大型のマンホールに頑丈な梯子を設けるときは、梯子が重くなって、ロック解除時に腕力を必要とし、また、梯子のがたつきを小さくしようとすると、その落し込みストロークも大きくしなければならないという問題があった。
【０００６】
この発明は、起立したときに梯子として用いることができる起倒式の内蓋を設けたマンホールにおいて、その倒伏及び起立操作が容易で、起立状態が安全確実に保持されると共に、その解除にも大きな腕力を必要とせず、かつ簡単な構造で起立状態と倒伏状態との保持が可能なマンホールの内蓋の装着構造を提供することを課題としている。
【０００７】
【課題を解決するための手段】
この発明のマンホールの梯子兼用転落防止装置は、水平方向の支軸７回りに起立及び倒伏回動可能で当該支軸と平行な横桟１２を備えた格子状の内蓋１１と、前記支軸の軸方向に相対移動して起立状態の内蓋と係合する横向き溝９を備えた保持ブラケット８と、内蓋１１と保持ブラケット８とを係合させる方向に横向きに付勢する付勢手段１７と、係合している横向き溝９と内蓋１１との離脱方向の移動を阻止するロック部材１８とを備えている。
【０００８】
保持ブラケット８には、倒伏状態の内蓋１１と係合する第２の横向き溝１０を設けることができ、保持ブラケット８に横向き溝９と第２横向き溝１０とを一体に設けた構造では、１個の付勢部材の付勢力で内蓋の起立状態の保持と倒伏状態の保持とを行なうことができ、この保持ブラケット８を内蓋１１を枢支する支軸７の両端部分に横向き溝９、１０の方向を同一方向にして設けた構造によれば、内蓋の左右両側での保持とその解除を一動作で行なうことができる。
【０００９】
なお、保持ブラケットの横向き溝９、１０は、起立状態を保持する横向き溝９の背後側（起立状態の内蓋の背後側）の鍔２１及び倒伏状態を保持する第２の横向き溝１０の下側の鍔２２を係合解除時の内蓋１１の軸方向移動ストロークより大きくして、内蓋１１がその起立位置より外側に及び倒伏位置より下方に回動するのを防止するストッパとしての作用を持たせることができる。
【００１０】
なお、起立状態で内蓋１１の支軸の軸方向の動きを固定するロック機構１８として、図示実施例に示す重力振子式、ばね回動式、ばね進退式、ラチェット爪式等の種々の構造が採用可能である。
【００１１】
また、倒伏した状態での内蓋１１の上面に目の細かい格子板や網を設けることにより、起立したときの梯子としての機能を損なうことなく、マンホール内への小さな器物の落下防止作用を持たせることができる。
【００１２】
【発明の実施の形態】
以下、図１ないし図３に示す実施例を参照して、この発明の実施形態を説明する。図の実施例に示すマンホール枠は、外枠１と当該外枠内で昇降可能かつその昇降位置を固定可能な内枠２とを備えており、路面の高さに応じて内枠２を昇降（傾動を含む）させることにより、マンホール高さを地表面の高さに合せて調整できるようにした構造であるが、内枠２の昇降及び固定構造については、図示及び説明を省略する。
【００１３】
内枠２の内周上面は、テーパ孔となっており、鋳鉄製の蓋板３はこのテーパ孔に楔作用によって嵌着されている。外枠１の下面には、角断面部材３３が平面視で内枠２の内周近くに棒状で形成されている。図は蓋板３を開いた状態を示しており、開いた蓋板３はその円周一箇所の下面に懸吊された連結レバー４で内枠２に緩く連結されている。なお、連結レバー４の上端と蓋板３とは水平方向のピン５で相対揺動可能に枢着されている。この連結レバー４を遊動自在に保持している部分の両側に、所定間隔を隔てて２個の支持ブラケット６が前記角断面部材３３にボルト３４で一体的に取付けられており、この支持ブラケット６で支軸７の両端部分が軸方向移動不能に支持されている。２個の支持ブラケットの一方（図１で上方のもの）は、支軸７の端部を支持しており、支軸７の反対側の端部７ａは、反対側の支持ブラケットを貫通して若干突出している。
【００１４】
支持ブラケット６と一体に側面視で略Ｌ形をした保持ブラケット８が形成されており、この保持ブラケットの上方に延びる部分と水平に延びる部分とに、当該部分の延在方向で、かつ前記支軸の突出した端部７ａ側を向いた嵌合溝（横向き溝）が形成されている。保持ブラケットの上方に延びる部分に形成された第１の嵌合溝９の溝幅は、後述する内蓋１１の支持桟１３がちょうど嵌合する溝幅であり、水平に延びる部分に形成された第２の嵌合溝１０の溝幅は、これより若干広い。
【００１５】
内蓋１１は、起立したときに梯子の手すりとして機能する複数本の横桟１２と支持桟１３を含む複数本の縦桟１３、１４とで形成されており、２本の支持桟１３の基端が支軸７に回動かつ軸方向移動自在に軸支されている。２本の支持桟１３は、それぞれが２個の保持ブラケット８の嵌合溝９、１０を設けた側に隣接している。
【００１６】
支軸７の一方の支持ブラケットと内蓋の支持桟１３を挟んで所定距離離れて対向する位置にスリーブ１５付きのばね受けブロック１６が固定されており、スリーブ１５と支軸７との間に、当該側の支持桟１３を保持ブラケット８に向けて付勢する圧縮コイルばね１７が装着されている。スリーブ１５の外周には、振子形のロック部材１８が自由揺動可能、軸方向移動不能に軸支されている。このロック部材１８には、支持桟１３が第１の嵌合溝９に嵌合したときに、支持桟１３の反嵌合溝側の面にわずかな遊隙を残して位置するストッパピン１９と、このストッパピンを上方に揺動させる錘２０とが一体に形成されている。錘２０が支軸７の下方に垂れ下がろうとする振子運動が角断面部材３３の垂直辺との当接によって停止する位置でストッパピン１９の上動位置が規定されている。
【００１７】
保持ブロックの嵌合溝９、１０は、支持桟１３がちょうど納まる程度の溝深さを有しているが、各嵌合溝の外側の鍔、すなわち第１の嵌合溝９の背後側の鍔２１及び第２の嵌合溝１０の下側の鍔２２は、内側の鍔２３、２４より高く突出している。前記スリーブ付きのばね受けブロック１６は、そのスリーブ１５の先端と内側の鍔２３の上縁との間に支持桟１３が遊隙を持って通過しうる間隙を残す位置に固定されている。
【００１８】
格子状内蓋１１の先端部両側には、位置決めピン２５が角状に突出しており、これに対応する部分の外枠１に、この位置決めピンを収納する受け溝２６が形成されている。位置決めピン２５は内蓋１１が支軸７回りに水平方向に回動して、その支持桟１３が第２嵌合溝１０に挿入された後、受け溝２６に挿入される。図１及び２に示す内蓋１１の倒伏状態においては、この内蓋がマンホールの入口を閉鎖しており、その格子の桝目より大きな物品がマンホール内に落下するのを防止している。従って、その格子の粗さを人の足の大きさより細かい大きさにしておけば、過って人がマンホール内に足を踏み落すのを防止することができる。また、図７に示すのように、倒伏状態の内蓋１１の上面に目の細かい格子や網を設けておけば、より小さな器物がマンホールに落下するのも防止できる。この倒伏状態から内蓋１１の先端側を若干持ち上げて、位置決めピン２５と受け溝２６との嵌合を外した後、圧縮コイルばね１７の付勢力に抗して内蓋１１を支軸７に沿ってスライドさせると、支持桟１３が第２の嵌合溝１０の内側の鍔２４を乗り越えて、支軸７回りに回動可能になる。この状態で内蓋１１を上方に回動させると、その回動期間中、支持桟１３と嵌合溝９、１０の内側鍔２３、２４の当接によって、圧縮コイルばね１７は圧縮された状態を維持し、内蓋１１を第１の嵌合溝９に嵌合する起立位置まで回動させることができる。内蓋１１が起立位置に達する直前に支持桟１３の背後面がロック部材のストッパピン１９に当接して、ストッパピン１９を背後側に押した状態で起立位置に達する。ロック部材１８の図２で時計方向の必要以上の回動は、ロック部材と一体の突起３６が角断面部材３３の上面に当接して阻止される。内蓋１１が起立位置に達すると、圧縮コイルばね１７の付勢力により、支持桟１３が保持ブロックの第１の嵌合溝９に嵌合して、内蓋１１の起立状態が保持され、同時に支持桟１３とロック部材のストッパピン１９との当接が外れるため、ロック部材１８が振り戻って、ストッパピン１９が支持桟１３の背面側（保持ブラケット８側から見た支持桟１３の背面側。図３参照。）へと振れ動く。この状態では、支持桟１３を第１の嵌合溝９から離脱させようとする内蓋の軸方向動きがストッパピン１９によって阻止され、内蓋１１に横方向の外力が加わっても、内蓋１１が倒伏することがない。この起立状態で内蓋の横桟１２は、マンホールの内部に設けた梯子ないし手すりと連接する梯子の上端部の手すりとなる。起立状態の内蓋を倒伏するときは、ロック装置のストッパピン１９を当該内蓋の背後側へ手で押して、そのままの状態で内蓋１１を支軸上でスライドして、支持桟１３と第１の嵌合溝９との嵌合を解いて、支軸７回りに下方に回動させ、その倒伏位置で支持桟１３が第２の嵌合溝１０に嵌合した後、位置決めピン２５が受け溝２６に挿入される。この倒伏状態は、位置決めピン２５と受け溝２６との当接によって基本的には保持されるが、たとえ位置決めピン２５が折損する等の事故があっても、第２の嵌合溝１０の下方の鍔２２が支持桟１３の下方への回動を阻止するので、内蓋１１が下方に回動して開くおそれがない。
【００１９】
上記実施例のロック部材１８は、錘２０を利用した振子形のものであるが、図４に示すように、支軸とは別に設けた支点ピン回りに引張りばね２７の付勢力によって回動するフック２８を設ける構造や、図５に示すように、上方に回動する内蓋の支持桟１３によって押込まれて、支持桟が第１の嵌合溝９に嵌まり込んだときに、ばね２９の付勢力によって支持桟の背面側（保持ブラケット側から見た背面側）へと突出するストッパピン３０を設ける構造や、図６で示すような手動で進退させるストッパ３１を設ける構造など種々の構造のロック機構が使用可能である。また、上記実施例の角断面部材３３と受け溝２６は、内枠２に設けることもできる。
【図面の簡単な説明】
【図１】この発明の装置をマンホール枠に設置した平面図
【図２】図１の断面側面図
【図３】図２の要部拡大断面図
【図４】ロック部材の他の実施例を示す平面図
【図５】ロック部材の更に他の実施例を示す平面図
【図６】ロック部材の更に他の実施例を示す側面図
【図７】梯子の他の実施例を示す断面図
【符号の説明】
７  支軸
８  保持ブラケット
９  第１の嵌合溝
10  第2の嵌合溝
11  内蓋
12  横桟
17  圧縮コイルばね
18  ロック部材
【図１】
0004516672.tif 000002
【図２】
0004516672.tif 000003
【図３】
0004516672.tif 000004
【図４】
0004516672.tif 000005
【図５】
0004516672.tif 000006
【図６】
0004516672.tif 000007
【図７】
0004516672.tif 000008